(57)【要約】【課題】払出モータの出力軸と螺旋構造の払出体とを連結する軸継手を堅牢な構造に構成する。【解決手段】金属製の主継手１４における軸固着部１７が払出モータ２の金属製の出力軸５に圧入され、主継手１４の従継手受部１６と金属製の従継手１５とが互いに嵌め合わされ、軸継手４が払出モータ２における金属製の出力軸５と払出体３における金属製の心棒８とがあたかも１本の棒のように同軸状に連結され、主継手１４が払出体３における合成樹脂製の位置決め部１１に整合した状態で直径方向にがたつかないように嵌め合わされ、払出体３の外形が直径方向に太くなったり細くなったりするように心振れすることなくあたかも１本の直線的な棒のように矢印Ｗ方向に適切に回転して球を適切に払い出せる。【選択図】図１
2008295604.tif 000002
【特許請求の範囲】
【請求項１】
払出モータが金属棒からなる回転駆動する出力軸を備え、螺旋構造の払出体が心棒と被覆部および螺旋体を備え、心棒が一端部から他端部に直線的に延びる金属棒により構成され、被覆部が心棒に結合された合成樹脂からなるとともに心棒の外周面を覆い隠しかつ心棒の延びる方向に長い形状であり、螺旋体が被覆部に結合された合成樹脂からなるとともに心棒の延びる方向と平行な方向に球を１個ずつ分離する間隔で被覆部の外周面から直径方向外側に螺旋形状に突出した構造であり、軸継手が出力軸に設けられる金属製の主継手と金属製の心棒に設けられる従継手とから構成され、主継手と従継手とが互いに心棒の延びる方向で同軸状に嵌め合わされて円周方向に一体に回転される構造であることを特徴とする遊技機の球払出装置。
【請求項２】
被覆部には合成樹脂からなる位置決め部が心棒を中心としかつ従継手を非接触に囲む円形壁として設けられ、主継手と従継手とが互いに嵌め合わされる場合に主継手と位置決め部とが互いに整合した状態で直径方向にがたつかないように嵌め合わされたことを特徴とする請求項１記載の遊技機の球払出装置。
【発明の詳細な説明】
【技術分野】
【０００１】
本発明は、払出モータの出力軸と螺旋構造の払出体とを連結する軸継手が堅牢な構造である遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図８は、特許文献１で開示された球払出装置２１を示す。図８において、タンク２２の底部には、払出機構１が設けられる。そして、払出機構１の払出モータ２が停止した状態において、パチンコ球と呼ばれる球が螺旋構造の払出体７１に受け止められてタンク２２に貯蔵される。その状態において、払出モータ２が駆動して払出体７１を回転すると、球が図外の球出口部から下方外部に払い出される。図９は、払出モータ２と払出体７１と軸継手７３とを分解して示す。払出モータ２の出力軸５は、モータ軸のような回転する金属棒である。払出体７１は、合成樹脂からなる払出軸７２と合成樹脂からなる螺旋体１０とを備えた螺旋構造体である。螺旋体１０は、払出軸７２の延びる方向と平行な方向に球を１個ずつ分離する間隔で、払出軸７２の外周面から直径方向外側に螺旋形状に突出する。軸継手７３は、主継手７４と従継手７５とからなる。主継手７４は、払出モータ２の出力軸５に設けられる金属体であって、従継手受部７６および軸固着部１７を備える。従継手受部７６は、主継手７４の周面の一部を平坦面として除去された異形棒として、主継手７４の端部に形成される。従継手７５は、払出軸７２の端面から内部に窪む孔の周面の一部を平坦面として形成した異形孔として、払出軸７２に同軸に設けられる。そして、軸固着部１７が出力軸５に圧入され、従継手７５と従継手受部７６とが互いに嵌め合わされ、軸継手７３が出力軸５と払出体７１とを同軸状に連結する。しかしながら、払出モータ２の動力が軸継手７３を経由して払出体７１に伝達される過程において、合成樹脂からなる従継手７５が金属からなる主継手７４でえぐられ、払出モータ２の動力が払出体７１に伝達されず、球が適切に払い出されないという欠点がある。
【特許文献１】特開平８−１０４１５号公報
【特許文献２】特開平１０−２０１９１６号公報
【発明の開示】
【発明が解決しようとする課題】
【０００３】
発明が解決しようとする問題点は、軸継手の構造が壊れやすいという点である。
【課題を解決するための手段】
【０００４】
本発明に係る遊技機の球払出装置は、払出モータが金属棒からなる回転駆動する出力軸を備え、螺旋構造の払出体が心棒と被覆部および螺旋体を備え、心棒が一端部から他端部に直線的に延びる金属棒により構成され、被覆部が心棒に結合された合成樹脂からなるとともに心棒の外周面を覆い隠しかつ心棒の延びる方向に長い形状であり、螺旋体が被覆部に結合された合成樹脂からなるとともに心棒の延びる方向と平行な方向に球を１個ずつ分離する間隔で被覆部の外周面から直径方向外側に螺旋形状に突出した構造であり、軸継手が出力軸に設けられる金属製の主継手と金属製の心棒に設けられる従継手とから構成され、主継手と従継手とが互いに心棒の延びる方向で同軸状に嵌め合わされて円周方向に一体に回転される構造であることを最も主要な特徴とする。被覆部には合成樹脂からなる位置決め部が心棒を中心としかつ従継手を非接触に囲む円形壁として設けられ、主継手と従継手とが互いに嵌め合わされる場合に主継手と位置決め部とが互いに整合した状態で直径方向にがたつかないように嵌め合わされてもよい。
【発明の効果】
【０００５】
本発明に係る遊技機の球払出装置は、払出モータの出力軸と払出体の心棒と主継手と従継手とが金属製であるので、払出モータの出力軸と払出体の心棒とを連結する軸継手が堅牢な構造となり、主継手と従継手とが互いに損傷を受けることがなく、払出モータの動力が払出体に適切に伝達され、球が適切に払い出されるという利点があるうえ、払出体が合成樹脂からなる被覆部および合成樹脂からなる螺旋体を金属棒からなる心棒で支持した構造であるので、払出体が回転した場合でも、払出体の外形が直径方向に太くなったり細くなったりするように心振れすることなくあたかも１本の直線的な棒のように適切に回転して球を適切に払い出すことができるという利点がある。被覆部には合成樹脂からなる位置決め部が心棒を中心としかつ従継手を非接触に囲む円形壁として設けられ、主継手と従継手とが互いに嵌め合わされる場合に主継手と位置決め部とが互いに整合した状態で直径方向にがたつかないように嵌め合わされれば、払出体と軸継手と出力軸とが直径方向に移動しないように同軸状に連結されるので、払出モータが構造物に固定され、払出体の一端部が構造物に支持されることなく、払出体の他端部が構造物に回転可能に支持された状態において、出力軸が回転すると、出力軸と軸継手と払出体とがあたかも１本の棒のように払出体が心棒を中心として適切に回転するという利点がある。
【発明を実施するための最良の形態】
【０００６】
図１乃至図４は、発明を実施するための最良の形態である。図１のａ図は、払出モータ２と払出体３および軸継手４を分解して示す。図１のｂ図は、払出モータ２と払出体３および軸継手４が組み立てられた断面を示す。図２は、払出機構１を分解して示す。図３は、払出機構１の組み立てられた断面を示す。図４は、球払出装置２１を備えたパチンコ遊技機の平面を示す。本明細書において、「前」、「後」、「左」、「右」、「上」、「下」の方向は、図４の状態に遊技機枠６１を置いて矢印Ｓで示す前側から見た場合に特定される方向である。
【０００７】
図１を参照し、払出機構１における払出モータ２と払出体３および軸継手４について説明する。図１のａ図において、払出モータ２は、出力軸５および取付足６を備える。出力軸５は、モータ軸のような回転駆動する金属棒である。取付足６には、取付孔７が設けられる。払出体３は、心棒８、被覆部９、螺旋体１０、位置決め部１１、被検出体１２を備えた螺旋構造体である。心棒８は、一端部から他端部に直線的に延びる金属棒により構成される。被覆部９は、心棒８に結合された合成樹脂からなり、心棒８の外周面を覆い隠し、心棒８の延びる方向に長い形状である。被覆部９の外周面は、心棒８を中心とする円周上に位置する円形に形成される。被覆部９の一端部からは従継手１５が突出し、被覆部９の他端部からは心棒８が突出する。螺旋体１０は、被覆部９に結合された合成樹脂からなり、心棒８の延びる方向と平行な方向に球を１個ずつ分離する間隔で、被覆部９の外周面から直径方向外側に螺旋形状に突出する。
【０００８】
位置決め部１１は、合成樹脂からなり、心棒８を中心としかつ従継手１５を非接触に囲む円形壁として、被覆部９の一端部に形成される。被検出体１２は、合成樹脂からなり、心棒８を中心としかつ位置決め部１１から直径方向外側に突出した円盤として、被覆部９の一端部に形成される。被検出体１２の外縁部には、被検出部１３が設けられる。被検出部１３は、被検出体１２の直径線上に位置して相対峙する一対であって、被検出体１２の外周面から直径方向内側に窪み、被検出体１２の盤面にも開口する溝として構成される。
【０００９】
例えば、払出体３は、インサート成形法により形成される。つまり、従継手１５の形成された心棒８が払出体３を成形するための成形型の内部に配置され、溶融した合成樹脂成形材料が心棒８と成形型との間に形成された成形空間に注入されて固化した後、成形品を成形型から取り出すことによって、心棒８と被覆部９と螺旋体１０と位置決め部１１と被検出体１２および被検出部１３の一体になった払出体３が得られる。インサート成形法以外では、溶融した合成樹脂成形材料を成形型に注入して、被覆部９と螺旋体１０と位置決め部１１と被検出体１２および被検出部１３が一体になった合成樹脂成形品を作り、心棒８が当該合成樹脂成形品における被覆部９の中心に形成された貫通孔に挿入されて被覆部９に固定されることによって、心棒８と被覆部９と螺旋体１０と位置決め部１１と被検出体１２および被検出部１３の一体になった払出体３が得られる。
【００１０】
被覆部９および螺旋体１０が成形型の用いられた方法によって形成された場合において、被覆部９における直径方向の厚さと螺旋体１０における直径方向の厚さとが異なることから、心棒８の延びる方向と平行な中心線が弧状となるように、被覆部９と螺旋体１０とからなる合成樹脂成形品が変形して固化したとしても、払出体３は合成樹脂からなる被覆部９および合成樹脂からなる螺旋体１０を金属棒からなる心棒８で支持した構造であるので、払出体３における中心線が心棒８の延びる方向と平行な直線となるように、心棒８が上記合成樹脂成形品に生じた変形を矯正する。よって、払出体３が図３や図４に示すように収容部２４の内部において矢印Ｗ方向に回転した場合でも、払出体３の外形が直径方向に太くなったり細くなったりするように心振れすることなくあたかも１本の直線的な棒のように矢印Ｗ方向に適切に回転して球を適切に払い出すことができるという利点がある。
【００１１】
図１のａ図に戻り、軸継手４は、主継手１４と従継手１５とからなる。主継手１４は、払出モータ２の出力軸５に設けられる金属体であって、従継手受部１６および軸固着部１７を備える。従継手受部１６は、主継手１４の一端面から内部に窪み、主継手１４の一端面および外周面に開口する溝として、主継手１４の一端部に設けられる。軸固着部１７は、主継手１４の他端面から内部に窪む凹部として、主継手１４の他端部に設けられる。従継手１５は、払出体３に設けられる金属体であって、従継手受部１６に嵌め合わされる板状の突起として、金属製の心棒８の一端部に構成される。つまり、心棒８と従継手１５とは同一材料からなる一体として構成される。
【００１２】
図１のｂ図に示すように、軸固着部１７が払出モータ２の出力軸５に圧入され、主継手１４が出力軸５に同軸状に締り嵌めに固定される。そして、主継手１４の従継手受部１６と従継手１５とが互いに嵌め合わされ、軸継手４が出力軸５と払出体３とを同軸状に連結する。また、出力軸５と心棒８と主継手１４と従継手１５とが金属製である。つまり、軸継手４は、金属製の主継手１４と金属製の従継手１５とが互いに心棒８の延びる方向で同軸状に嵌め合わされて心棒８を中心とする円周方向に一体に回転される構造である。よって、払出モータ２と払出体３とを連結する軸継手４が堅牢な構造であり、主継手１４と従継手１５とが互いに損傷を受けることがなく、払出モータ２の動力が払出体３に適切に伝達されるという利点がある。
【００１３】
従継手１５と従継手受部１６とが互いに嵌め合わされる場合、主継手１４の外周面が位置決め部１１の内周面に接触するかまたは接触する程度に接近した状態で、主継手１４と位置決め部１１とが互いに嵌め合わされる。つまり、主継手１４と位置決め部１１とが互いに整合した状態で直径方向にがたつかないように嵌め合わされる。よって、払出体３と軸継手４と出力軸５とが直径方向に移動しないように同軸状に連結されるので、図３に示すように、払出モータ２が構造物に固定され、払出体３の一端部が構造物に支持されることなく、払出体３の他端部が構造物に回転可能に支持された状態において、出力軸５が回転すると、出力軸５と軸継手４と払出体３とがあたかも１本の棒のように、払出体３が心棒８を中心とする矢印Ｗで示す円周方向に適切に回転するという利点がある。
【００１４】
図２を参照し、球払出装置２１について説明する。球払出装置２１では、払出機構１がタンク２２の底部に設けられる。タンク２２は、上方に開口した箱形の球貯蔵室を内部に構成する。タンク２２の底部には、球入口２３、収容部２４、払出挿入孔２５、庇２６、センサ挿入孔２７、センサ係合部２８、基盤取付部２９が設けられる。タンク２２の球貯蔵室の底部は、球を球入口２３に向けて誘導する形状に形成される。球入口２３は、タンク２２の底部に上下方向への貫通孔として設けられる。収容部２４は、球入口２３の周縁部から下方への窪みとして、タンク２２の底部から下方に突出する。払出挿入孔２５は、収容部２４の一端側の壁に左右方向への貫通孔として形成される。庇２６は、球入口２３における払出挿入孔２５の方向に位置する部分を塞ぐように、タンク２２の底部に設けられる。センサ挿入孔２７は、払出挿入孔２５よりも下部に位置し、収容部２４の一端側の壁に左右方向への貫通孔として形成される。センサ係合部２８は、収容部２４の一端側から突出する弾性片の先端部に鉤部を備える。基盤取付部２９は、収容部２４の一端側の壁に設けられる。
【００１５】
払出モータ２がモータ取付台３１に取り付けられ、モータ取付台３１がタンク２２に取り付けられる構造である。つまり、払出モータ２は、モータ取付台３１を介してタンク２２に取り付けられる。モータ取付台３１は、螺旋逃避孔３２、球出口部３３、モータ取付部３４、基盤側取付部３５、基板取付部３６、カバー取付部３７を備える。螺旋逃避孔３２は、モータ取付台３１に左右方向への貫通孔として形成される。球出口部３３は、螺旋逃避孔３２の直径方向の両側に位置し、払出挿入孔２５から排出された球を下方に誘導する通路として、モータ取付台３１に形成される。モータ取付部３４および基盤側取付部３５は、螺旋逃避孔３２および球出口部３３を避けて、モータ取付台３１に形成される。基板取付部３６は、モータ取付台３１の上部に設けられる。カバー取付部３７は、モータ取付台３１の下部に設けられる。
【００１６】
払出モータ２がモータ取付台３１に取り付けられる場合、タッピングスクリューなどの止ねじ３８が取付足６の取付孔７を経由してモータ取付部３４に締結される。払出モータ２がモータ取付台３１に取り付けられる前の時期または後の時期において、出力軸５には払出体３が主継手１４と従継手１５とで取り付けられる。払出モータ２がモータ取付台３１に取り付けられることによって、払出体３の位置決め部１１や被検出体１２が螺旋逃避孔３２よりも払出モータ２の方向に配置され、払出体３の心棒８と被覆部９および螺旋体１０が螺旋逃避孔３２よりもタンク２２の方向に配置されるように、払出体３が螺旋逃避孔３２を貫通する。心棒８のタンク２２の方向に配置された端部には軸受３９が装着される。
【００１７】
払出モータ２がモータ取付台３１に取り付けられ、払出体３が出力軸５に取り付けられた後、モータ取付台３１がタンク２２に取り付けられる。その場合、軸受３９が払出挿入孔２５から収容部２４を経由して収容部２４の壁に形成された取付孔に嵌め込まれ、軸受３９の嵌め込まれた収容部２４の壁が前述した払出体３の他端部を回転可能に支持するための構造物になる。そして、タッピングスクリューなどの止ねじ４０が基盤側取付部３５を経由して基盤取付部２９に締結されることによって、モータ取付台３１がタンク２２に取り付けられ、螺旋逃避孔３２と左右の球出口部３３の上部とが払出挿入孔２５に接続され、モータ取付台３１が前述した払出モータ２を固定するための構造物になり、払出体３の一端部としての軸継手４の方向に位置する部分がタンク２２およびモータ取付台３１などの構造物に支持されていない状態である。
【００１８】
払出モータ２と払出体３およびモータ取付台３１がタンク２２に取り付けられた場合、図３に示すように、払出体３における被覆部９と位置決め部１１との連接部が螺旋逃避孔３２に配置され、当該連接部と螺旋逃避孔３２との間の隙間は球が通過不可能な寸法になっており、螺旋体１０における位置決め部１１の方向に位置する端部が払出挿入孔２５に配置され、当該位置決め部１１の方向に位置する端部と払出挿入孔２５との間の隙間は球が心棒８の延びる方向と平行な方向に１個ずつ通過可能な寸法になっている。
【００１９】
図２に戻り、中継基板４１が用いられる。中継基板４１は、プリント配線板のような回路基板に、複数のコネクタ４２；４３および位置検出器４４を実装した構造である。コネクタ４２；４３および位置検出器４４は、中継基板４１に付設されたプリント配線のような薄状の配線で、電気回路を構成するように相互に接続される。コネクタ４２には、払出モータ２のモータ配線４５が接続される。コネクタ４３には、タンク２２の外部に設けられる図外の集合基板に設けられたコネクタに接続される図外の配線が接続される。位置検出器４４がモータ取付台３１の方向に向けられ、中継基板４１がタッピングスクリューなどの止ねじ４６によって基板取付部３６の上に固定されることによって、中継基板４１がモータ取付台３１の上部に取り付けられる。
【００２０】
中継基板４１がモータ取付台３１の上部に取り付けられた場合、図３に示すように、被検出体１２の外縁部が位置検出器４４の凹部に非接触に配置される。そして、位置検出器４４が電力供給を受け、位置検出器４４の検出光が位置検出器４４の凹部の一側を形成する発光部から凹部の他側を形成する受光部に照射された状態において、被検出体１２が払出体３と一緒に回転すると、被検出体１２で遮られていた位置検出器４４の検出光が被検出体１２の２分の１回転ごとに被検出部１３を通過して受光部で受光される。これによって、位置検出器４４が払出体３の回転位置を払出体３の２分の１回転ごとに１回検出して回転位置信号を払出制御装置などの制御装置に出力する。
【００２１】
図２に戻り、モータカバー４８が用いられる。モータカバー４８には、配線孔４９；５０、放熱孔５１、カバー側取付部５２が設けられる。そして、タッピングスクリューなどの止ねじ５３がカバー側取付部５２を経由してカバー取付部３７に締結されることによって、モータカバー４８が払出モータ２や中継基板４１を被覆してモータ取付台３１に取り付けられる。モータカバー４８がモータ取付台３１に取り付けられた場合、モータ配線４５が配線孔４９を経由してモータカバー４８の外部に出され、コネクタ４３が配線孔５０を経由してモータカバー４８の外部に露出される。図２では、球検出器５４が用いられる。球検出器５４は、３つの検出素子部５５が２つの凹部で分けられた構造である。そして、検出素子部５５が収容部２４よりも下方からセンサ挿入孔２７に個別に挿入されて球出口部３３に個別に配置されることによって、センサ係合部２８の鉤部が図３に示すように球検出器５４に係合される。
【００２２】
図３において、払出機構１が停止した場合、タンク２２に貯蔵された球は、タンク２２から球入口２３を経由して収容部２４と払出体３の螺旋体１０との隙間に１個ずつ分離されて取り込まれる。その状態において、払出モータ２が払出体３を払出軸の円周方向の矢印Ｗで示す一方向に回転するように駆動するのに伴い、螺旋体１０が収容部２４と払出体３との隙間に１個ずつ分離されて取り込まれた球を１個ずつ分離しつつ矢印Ｘ１で示すようにタンク２２から払出モータ２の方に移動する。払出モータ２の方に移動した球は、払出体３の駆動に伴い、庇２６の下に潜り込んで払出挿入孔２５を経由して球出口部３３から下方に払い出される。球出口部３３において、球が相対峙する２つの検出素子部５５の間の凹部を通過するごとに、球検出器５４が球検出信号を払出制御装置などの制御装置に出力する。
【００２３】
図３に示すように、モータカバー４８がタンク２２に取り付けられた場合、払出モータ２や中継基板４１がモータカバー４８で覆われるので、払出モータ２や中継基板４１およびコネクタ４３（図２参照）ならびに位置検出器４４が上方から落下する球の衝突を受けないという利点がある。図３において、図外の配線がコネクタ４３から外され、止ねじ５３およびモータカバー４８が外され、止ねじ４０（図２参照）が外され、人が払出モータ２を支持してタンク２２から離れる方向に移動すると、主継手１４が従継手１５から引き抜かれる。その後、人が払出体３を支持してタンク２２から離れる方向に移動すると、払出体３が収容部２４から外に引き抜けるので、収容部２４の内部から球や異物を除去したりまたは払出モータ２や払出体３を交換したりする作業が容易であるという利点がある。この場合、従継手１５と従継手受部１６との嵌合または位置決め部１１と主継手１４との嵌合が締まり嵌めになっていれば、払出モータ２がタンク２２から離れる方向に移動されるのに伴い、払出モータ２と払出体３および軸継手４からなる払出機構１をタンク２２から取り外せる。
【００２４】
図４を参照し、球払出装置２１を備えた遊技機としてパチンコ遊技機を例示して説明する。パチンコ遊技機は、遊技機枠６１の内部に図外の遊技盤を交換可能に取り付ける形態である。遊技機枠６１は、固定枠６２の前部に可動枠６３を開閉可能に備え、可動枠６３の前部に前扉６４を開閉可能に備え、前扉６４の前部に受皿６５および発射操作機構６６を備える。可動枠６３は、ヒンジ６７を中心として片開きされる。前扉６４は、ヒンジ６８を中心として片開きされる。そして、タンク２２が遊技機枠６１に取り付けられ、固定枠６２が図外の遊技機設置設備に固定され、払出機構１が停止した状態において、遊技機設置構造体の補給機構から排出されたパチンコ球と呼ばれる球がタンク２２に上方から貯蔵される。球がタンク２２に貯蔵された場合、球が収容部２４の払出体３を境とする前部分２４Ａと後部分２４Ｂとに分けられて取り込まれる。
【００２５】
球が収容部２４の前部分２４Ａと後部分２４Ｂとに取り込まれた状態において、払出機構１の払出モータ２が駆動し、払出体３が矢印Ｗで示す方向に回転した場合、前部分２４Ａは、払出体３が球を収容部２４から上方に押し出す、押出側として構成され（以下、押出側部分２４Ａと称する）、後部分２４Ｂは、払出体３が球を球入口２３から下方に引き込む、引込側として構成される（以下、引込側部分２４Ｂと称する）。つまり、押出側部分２４Ａでは、球が矢印Ｗで示す方向に駆動された払出体３によってタンク２２から収容部２４に引き込まれにくい。引込側部分２４Ｂでは、球が矢印Ｗで示す方向に駆動された払出体３によってタンク２２から収容部２４に引き込まれやすい。
【産業上の利用可能性】
【００２６】
図５は、発明を実施するための異なる第１形態である。図５のａ図は、軸継手４を分解して示す。図５のｂ図は、軸継手４の組み立てられた断面を示す。図５の軸継手４が図１の軸継手４と異なる構造は、次のとおりである。図５のａ図において、従継手受部１６が主継手１４から突出した板状に形成され、従継手１５が心棒８の端面から内部に窪む溝として形成される。そして、図５のｂ図に示すように、金属製の主継手１４と金属製の従継手１５とからなる軸継手４が出力軸５と払出体３とを堅牢に連結した構造である。主継手１４と従継手１５とが互いに嵌め合わされる場合、主継手１４が位置決め部１１に嵌め合わされ、主継手１４と位置決め部１１とが互いに整合した状態で直径方向にがたつかないように嵌め合わされる。
【００２７】
図６は、発明を実施するための異なる第２形態に係る軸継手４を分解して示す。図６の軸継手４が図１や図５の軸継手４と異なる構造は、次のとおりである。従継手１５は、心棒８の周面の一部を平坦面として除去された異形棒として、心棒８の端部に形成される。従継手受部１６は、主継手１４の端面から内部に窪む孔の周面の一部を平坦面として突出した異形孔として、主継手１４に同軸に設けられる。従継手受部１６が異形孔であることから、従継手受部１６を主継手１４に形成するのは図１や図５よりも面倒であるものの、図１や図５の位置決め部１１が除去された簡単な構造になるという利点がある。
【００２８】
図７は、発明を実施するための異なる第３形態に係る球払出装置２１を備えたパチンコ遊技機の平面を示す。図７の球払出装置２１が図４の球払出装置２１と異なる構造は、次のとおりである。図７において、払出体３の心棒８が前後方向に直線的に延びる棒により構成され、螺旋体１０が心棒８の前後方向に延びる軸心と平行な方向に球を１個ずつ分離する間隔で被覆部９の外周面から直径方向外側に螺旋形状に突出する。そして、球が収容部２４の払出体３を境とする左部分２４Ａと右部分２４Ｂとに分けられて取り込まれる。払出体３が矢印Ｗで示す方向に回転した場合、左部分２４Ａは、払出体３が球を収容部２４から上方に押し出す、押出側として構成され（以下、押出側部分２４Ａと称する）、右部分２４Ｂは、払出体３が球を球入口２３から下方に引き込む、引込側として構成される（以下、引込側部分２４Ｂと称する）。
【００２９】
図１や図５または図６において、主継手１４が払出モータ２の出力軸５に圧入される以外に、主継手１４の軸固着部１７に相当する部分が出力軸５に挿入された後、止ねじが主継手１４の直径方向外側から主継手１４のねじ孔を経由して出力軸５に締結されることによって、主継手１４が出力軸５に固定される構造でもよい。主継手１４のねじ孔は、貫通孔の内面に雌ねじの形成された構造である。図１や図５または図６において、被検出体１２および被検出部１３は、設けられなくてもよい。
【図面の簡単な説明】
【００３０】
【図１】ａ図は払出モータと払出体および軸継手の分解斜視図、ｂ図は払出モータと払出体および軸継手の組み立てられた断面図（最良の形態）。
【図２】払出機構の分解斜視図（最良の形態）。
【図３】払出機構の組み立てられた断面図（最良の形態）。
【図４】球払出装置を備えたパチンコ遊技機の平面図（最良の形態）。
【図５】ａ図は軸継手の分解斜視図、ｂ図は軸継手の組み立てられた断面図（異なる第１形態）。
【図６】軸継手の分解斜視図（異なる第２形態）。
【図７】球払出装置を備えたパチンコ遊技機の平面図（異なる第３形態）。
【図８】球払出装置の平面図（従来）。
【図９】払出モータと払出体および軸継手の分解斜視図（従来）。
【符号の説明】
【００３１】
１は払出機構、２は払出モータ、３は払出体、４は軸継手、５は出力軸、６は取付足、７は取付孔、８は心棒、９は被覆部、１０は螺旋体、１１は位置決め部、１２は被検出体、１３は被検出部、１４は主継手、１５は従継手、１６は従継手受部、１７は軸固着部、１８乃至２０は欠番、２１は球払出装置、２２はタンク、２３は球入口、２４は収容部、２４Ａは押出側部分、２４Ｂは引込側部分、２５は払出挿入孔、２６は庇、２７はセンサ挿入孔、２８はセンサ係合部、２９は基盤取付部、３０は欠番、３１はモータ取付台、３２は螺旋逃避孔、３３は球出口部、３４はモータ取付部、３５は基盤側取付部、３６は基板取付部、３７はカバー取付部、３８は止ねじ、３９は軸受、４０は止ねじ、４１は中継基板、４２；４３はコネクタ、４４は位置検出器、４５はモータ配線、４６は止ねじ、４７は欠番、４８はモータカバー、４９は配線孔、５０は配線孔、５１は放熱孔、５２はカバー側取付部、５３は止ねじ、５４は球検出器、５５は検出素子部、５６乃至６０は欠番、６１は遊技機枠、６２は固定枠、６３は可動枠、６４は前扉、６５は受皿、６６は発射操作機構、６７；６８はヒンジ、６９；７０は欠番、７１は払出体、７２は払出軸、７３は軸継手、７４は主継手、７５は従継手、７６は従継手受部。
【図１】
2008295604.tif 000003
【図２】
2008295604.tif 000004
【図３】
2008295604.tif 000005
【図４】
2008295604.tif 000006
【図５】
2008295604.tif 000007
【図６】
2008295604.tif 000008
【図７】
2008295604.tif 000009
【図８】
2008295604.tif 000010
【図９】
2008295604.tif 000011